【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】  
少なくとも１層の農薬放出層と、
少なくとも１種類の農薬を含む前記農薬放出層と並行に位置し、微量の農薬だけを放出する、少なくとも１層の農薬保持層と
を有することを特徴とする害虫用の多層バリア。
【請求項２】  
前記農薬保持層は、サラネックス（Saranex）（登録商標）を含むことを特徴とする請求項１に記載の多層バリア。
【請求項３】  
２層の農薬保持層を、前記農薬放出層の両側に位置することを特徴とする請求項１に記載の多層バリア。
【請求項４】  
前記農薬保持層は高分子材料から作られ、前記高分子材料はバリアから農薬がほぼ放出されないようにすることを特徴とする請求項１に記載の多層バリア。
【請求項５】  
前記農薬放出層は、
高分子マトリクスと、
前記マトリクス内の農薬と
を含むことを特徴とする請求項１に記載の多層バリア。
【請求項６】  
前記農薬は、ピレトロイド、ネオニコチノイド(neonicotinoid)、イソフェンフォス（isofenphos）、フェンバレレート（fenvalerate）、ピレトリン、及びこれらの混合物から選択されることを特徴とする請求項５に記載の多層バリア。
【請求項７】  
前記農薬は、テフルトリン（tefluthrin）、ペルメトリン（permethrin）、ラムダシハロトリン（lambda cyhalothrin）、レズメトリン（resmethrin）、デルタメトリン（deltamethrin）、サイパーメトリン（cypermethrin）、シフェノトリン(syphenothrin)、シフルトリン（cyfluthrin）、デルタメトリン、クロルピリフォス（chlorpyrifos）、フェノキシカーブ(fenoxycarb)、ジアジノン(diazinon)、ジクロルフェン(dichlorophen)、メチルイソチオカネート(methyl isothiocyanate)、ペンタクロルフェノール(pentachlorophenol)、トラロメトリン(tralomethrin)、クロルフェナピル(chlorfenapyr)、フィプロニル(fipronil)、ネオニコチノイド、及びこれらの混合物から選択されることを特徴とする請求項５に記載の多層バリア。
【請求項８】  
前記農薬はラムダシハロトリンであることを特徴とする請求項５に記載の多層バリア。
【請求項９】  
前記高分子マトリクスは、低密度ポリエチレンから作られることを特徴とする請求項５に記載の多層バリア。
【請求項１０】  
前記ポリエチレンは、リニアの低密度ポリエチレンであることを特徴とする請求項９に記載の多層バリア。
【請求項１１】  
前記農薬放出層に、菌によるバリアの劣化を防ぐための少なくとも１層の殺菌剤放出層を有することを特徴とする請求項１に記載の多層バリア。
【請求項１２】  
前記バリアの補強及び穴あき防止のために、前記農薬保持層に、少なくとも１層の補強／耐性層を有することを特徴とする請求項１に記載の多層バリア。
【請求項１３】  
前記補強／耐性層は、高分子スクリムから作られることを特徴とする請求項１２に記載の多層バリア。
【請求項１４】  
前記強度／耐性層は、ポリエチレンから作られることを特徴とする請求項１３に記載の多層バリア。
【請求項１５】  
前記農薬は、シロアリ、木材穿孔あり、及び木材穿孔虫に対して効果を有することを特徴とする請求項１に記載の多層バリア。
【請求項１６】  
前記バリアは、領域または構造物を囲むように成型されることを特徴とする請求項１に記載の多層バリア。
【請求項１７】  
前記バリアからの前記農薬の放出率は、０．４μｇ／ｃｍ2／日より低いことを特徴とする請求項１に記載の多層バリア。
【請求項１８】  
前記マトリクスはポリマーを含み、更に、前記マトリクスからの前記農薬の放出率を調整する担体を含むことを特徴とする請求項５に記載の多層バリア。
【請求項１９】  
木材穿孔虫が領域または木材を含む構造物に到達することを防ぐために用いられるバリアフィルムの活性層のプレミックスを作る方法であって、
（ａ）  カーボンブラックをポリマーと混ぜて混合物を形成する工程と、
（ｂ）  液状の１以上の農薬を添加して、易壊性のプレミックスを形成する工程と
を有することを特徴とする方法。
【請求項２０】  
木材穿孔虫が領域または木材を含む構造物に到達することを防ぐために用いられるバリアフィルムであって、
保護樹脂を含む第１層と、
農薬が通り抜けるのをほぼ防ぐ、農薬保持素材を含む第２層と、
保護樹脂を含む第３層と、
補強／穴あき防止フィルムを含む第４層と、
結合ポリマーを含む第５層と、
カーボンブラックと、１以上の農薬とを含む高分子マトリクスを有する第６層と、
前記農薬保持素材を有する第７層と、
保護樹脂から作られた第８層とを有し、前記第６層から他層への前記農薬の放出率は、前記バリアフィルムからの農薬放出率よりも高く、前記バリアフィルムそのものからは、前記農薬がほぼ放出されないことを特徴とするバリアフィルム。
【請求項２１】  
前記保護樹脂は、ポリオレフィンプラストマーと、濃縮色素と、ポリエチレンとの混合物を含むことを特徴とする請求項２０に記載のバリアフィルム。
【請求項２２】  
前記保護樹脂は、前記バリアへの紫外線を防ぐことを特徴とする請求項２０に記載のバリアフィルム。
【請求項２３】  
前記農薬保持素材は、前記バリアフィルムからの農薬の放出をほぼ防ぐことを特徴とする請求項２０に記載のバリアフィルム。
【請求項２４】  
前記第２及び第７層の前記素材は、約１４３℃を超える融点を有し、生物劣化及び光劣化しないことを特徴とする請求項２０に記載のバリアフィルム。
【請求項２５】  
前記第２及び第７層の農薬保持素材はサラネックス（登録商標）14を含むことを特徴とする請求項２０に記載のバリアフィルム。
【請求項２６】  
前記サラネックス（登録商標）14は、低密度ポリエチレンと、塩化ビニリデン樹脂／塩化ビニル共重合体（例えばサラン(Saran)）と、エチレン／酢酸ビニル共重合体と、二酸化ケイ素から成ることを特徴とする請求項２５に記載のバリアフィルム。
【請求項２７】  
前記第３層の樹脂は、ポリオレフィンプラストマーと、濃縮色素と、ポリエチレンの混合物を含むことを特徴とする請求項２０に記載のバリアフィルム。
【請求項２８】  
前記第４層は、高密度ポリエチレン織布から作られることを特徴とする請求項２０に記載のバリアフィルム。
【請求項２９】  
前記第５層は、約１６５℃の融点を有する低密度ポリエチレンを含むことを特徴とする請求項２０に記載のバリアフィルム。
【請求項３０】  
前記第６層の前記カーボンブラックは、ランプブラックであることを特徴とする請求項２０に記載のバリアフィルム。
【請求項３１】  
前記第６層の高分子マトリクスは、低密度ポリエチレンを含むことを特徴とする請求項２０に記載のバリアフィルム。
【請求項３２】  
前記第６層の高分子マトリクスは、メタロセン触媒の（metallocene-catalyzed）低密度ポリエチレンを含むことを特徴とする請求項２０に記載のバリアフィルム。
【請求項３３】  
前記低密度ポリエチレンは、約８０℃の融点を有することを特徴とする請求項３１に記載のバリアフィルム。
【請求項３４】  
前記第６層の前記農薬の少なくとも１つは、約１０年未満の間で尽きない量であることを特徴とする請求項２０に記載のバリアフィルム。
【請求項３５】  
前記第６層の前記農薬の少なくとも１つは、前記第６層の少なくとも５重量％の量であることを特徴とする請求項２０に記載のバリアフィルム。
【請求項３６】  
前記第６層の前記農薬の少なくとも１つは、前記第６層の少なくとも１０重量％の量であることを特徴とする請求項２０に記載のバリアフィルム。
【請求項３７】  
前記第６層の前記農薬の少なくとも１つは、ラムダシハロトリンであることを特徴とする請求項２０に記載のバリアフィルム。
【請求項３８】  
前記第６層の前記ラムダシハロトリンは、前記バリアフィルム１ｍ2につき、少なくとも約２．７５ｇ含まれていることを特徴とする請求項３７に記載のバリアフィルム。
【請求項３９】  
前記第６層の前記農薬の少なくとも１つは、低揮発性生物活性化学物質であることを特徴とする請求項２０に記載のバリアフィルム。
【請求項４０】  
前記第６層の前記農薬の少なくとも１つは、ピレトロイド、イソフェンフォス、フェンバレレート、サイパーメトリン、ピレトリン、フェノキシカーブ、クロルピリフォス、ジアジノン、ジクロルフェン、メチルイソチオカネート、ペンタクロルフェノール、トラロメトリン、及びこれらの混合物からなるグループから選択されることを特徴とする請求項２０に記載のバリアフィルム。
【請求項４１】  
前記第６層の前記農薬の少なくとも１つは、テフルトリン、ペルメトリン、ラムダシハロトリン、レズメトリン、デルタメトリン、サイパーメトリン、シフェノトリン、シフルトリン、デルタメトリン、クロルピリフォス、フェノキシカーブ、ジアジノン、ジクロルフェン、メチルイソチオカネート、ペンタクロルフェノール、トラロメトリン、クロルフェナピル、フィプロニル、ネオニコチノイド、及びこれらの混合物からなるグループから選択されることを特徴とする請求項２０に記載のバリアフィルム。
【請求項４２】  
前記第６層の前記農薬の少なくとも１つは、チアメトキサン(thiamethoxam)、ナイテンピラン(nitenpyram)、イミダクロプリド(imidacloprid)、クロチアニディン(clothianidin)、アセトアミプリド(acetamiprid)、チアクロプリド(thiacloprid)、及びこれらの混合物からなるグループから選択されることを特徴とする請求項２０に記載のバリアフィルム。
【請求項４３】  
前記第６層は、前記農薬と前記カーボンブラックとを混ぜて易壊性の結合混合物を構成し、この易壊性の結合混合物を前記高分子マトリクスに加えることにより準備することを特徴とする請求項２０に記載のバリアフィルム。
【請求項４４】  
前記第６層は、少なくとも１つの殺菌剤が混ぜられた少なくとも１つの農薬を含むことを特徴とする請求項２０に記載のバリアフィルム。
【請求項４５】  
前記殺菌剤は、トリクロルニトロメタン(trichloronitoromethane)、メチルイソチオシアネートと1,3-ジクロルプロパン(dichloropropane)の混合物、Ｎ−メチルジチオ岩酸塩ナトリウム、2,3,5,6−テトラクロル−1,9−ベンゾキノン、カルシウムシアナミド、ビフェニル、ナフテン酸銅、ジクロルフェン、フェンティン(fentin)水酸化物、及びこれらの混合物から選択されることを特徴とする請求項４４に記載のバリアフィルム。
【請求項４６】  
前記高分子マトリクスは、前記第６層の約７７重量％であり、前記第６層は、前記バリアフィルムの約２３重量％であることを特徴とする請求項２０に記載のバリアフィルム。
【請求項４７】  
前記カーボンブラックは、前記第６層の約１１重量％であることを特徴とする請求項２０に記載のバリアフィルム。
【請求項４８】  
前記高分子マトリクスは、疎水性であることを特徴とする請求項２０に記載のバリアフィルム。
【請求項４９】  
前記バリアフィルムは、約０．０１０インチ〜約０．０３０インチの厚さであることを特徴とする請求項２０に記載のバリアフィルム。
【請求項５０】  
木材穿孔虫が領域または木材を含む構造物に到達することを防ぐために用いられるバリアフィルムであって、
ポリオレフィンプラストマーと、濃縮色素と、ポリエチレンの混合物を含む保護樹脂を含む第１層と、
農薬が通り抜けるのをほぼ防ぐ、農薬保持素材を含む第２層と、
ポリオレフィンプラストマーと、濃縮色素と、ポリエチレンの混合物を含む保護樹脂を含む第３層と、
高密度ポリエチレンを含む補強／穴あき防止フィルムを含む第４層と、
低密度ポリエチレンを含む第５層と、
カーボンブラックと、１以上の農薬とを含む高分子マトリクスを有する第６層と、
前記農薬保持素材を有する第７層と、
ポリオレフィンプラストマーと、濃縮色素と、ポリエチレンの混合物を含む保護樹脂から作られた第８層とを有し、前記第６層から他層への前記農薬の放出率は、前記バリアフィルムからの農薬放出率よりも高く、前記バリアフィルムそのものからは、前記農薬がほぼ放出されないことを特徴とするバリアフィルム。
【請求項５１】  
前記農薬保持素材は、サラネックス（登録商標）14を含むことを特徴とする請求項５０に記載のバリアフィルム。
【請求項５２】  
前記カーボンブラックは、ランプブラックであることを特徴とする請求項５０に記載のバリアフィルム。
【請求項５３】  
バリアフィルムを作るための方法であって、
カーボンブラックをポリマーの粒子と混ぜ合わせて混合物を作る工程と、
農薬が分解する温度よりも低く、且つ、農薬の融点よりも高い温度を保ちながら、１以上の液状の農薬を添加して混合物を作り、易壊性のプレミックスを作る工程と、
前記プレミックスを溶解射出して薄い活性層を形成する工程と、
第１及び第２保護樹脂と、多層フィルムと、低密度ポリエチレンと、スクリムに沿ってプレミックスを射出し、８層のバリアフィルムを形成する工程とを含み、
第１層は、第１保護樹脂を含み、
第２層は、前記農薬が通り抜けるのをほぼ防ぐ、農薬保護フィルムを含み、
第３層は、第２保護樹脂を含み、
第４層は、スクリムを含み、
第５層は、低密度ポリエチレンを含み、
第６層は、第６層の高分子マトリクスと、カーボンブラックと、１以上の農薬の混合物を含む活性層を含み、
第７層は、前記農薬保護フィルムを含み、
第８層は、第１保護樹脂を含み、前記第６層から他層への前記農薬の放出率は、前記バリアフィルムからの農薬放出率よりも高く、前記バリアフィルムそのものからは、前記農薬がほぼ放出されないことを特徴とする方法。
【請求項５４】  
前記農薬保持フィルムは、サラネックス（登録商標）14を含むことを特徴とする請求項５３に記載の方法。
【請求項５５】  
前記カーボンブラックは、ランプブラックであることを特徴とする請求項５３に記載の方法。
【請求項５６】  
前記カーボンブラックは、ガスブラックであることを特徴とする請求項５３に記載の方法。
【請求項５７】  
農薬と担体とからなる高分子マトリクスであって、前記マトリクスと前記担体が前記マトリクスからの農薬の放出を制御するマトリクスを含む少なくとも１層の農薬放出層と、
前記農薬放出層の両側に位置し、少なくとも１つの農薬を含み、微量の農薬だけを放出する２層の農薬保持層と
を有することを特徴とする害虫用の多層バリア。
【請求項５８】  
前記農薬保持層は、サラネックス（登録商標）を含むことを特徴とする請求項５７に記載のバリアフィルム。
【請求項５９】  
前記農薬保持層は高分子マトリクスから作られ、当該高分子マトリクスは、前記バリアから前記農薬がほぼ放出されないようにすることを特徴とする請求項５７に記載の多層バリア。
【請求項６０】  
前記農薬保持層の厚さは、約０．００１〜約０．００５インチであることを特徴とする請求項５７に記載の多層バリア。
【請求項６１】  
前記農薬は、ピレトロイド、ネオニコチノイド、イソフェンフォス、フェンバレレート、ピレトリン、及びこれらの混合物から選択されることを特徴とする請求項５７に記載の多層バリア。
【請求項６２】  
前記農薬は、テフルトリン、ペルメトリン、ラムダシハロトリン、レズメトリン、デルタメトリン、サイパーメトリン、シフェノトリン、シフルトリン、デルタメトリン、クロルピリフォス、フェノキシカーブ、ジアジノン、ジクロルフェン、メチルイソチオカネート、ペンタクロルフェノール、トラロメトリン、クロルフェナピル、フィプロニル、ネオニコチノイド、及びこれらの混合物から選択されることを特徴とする請求項５７に記載の多層バリア。
【請求項６３】  
前記農薬は、チアメトキサン、ナイテンピラン、イミダクロプリド、クロチアニディン、アセトアミプリド、チアクロプリド、及びこれらの混合物から選択されることを特徴とする請求項５７に記載の多層バリア。
【請求項６４】  
前記農薬はラムダシハロトリンであることを特徴とする請求項５７に記載の多層バリア。
【請求項６５】  
前記高分子マトリクスは、低密度ポリエチレンから作られることを特徴とする請求項５７に記載の多層バリア。
【請求項６６】  
前記ポリエチレンは、リニアの低密度ポリエチレンであることを特徴とする請求項６５に記載の多層バリア。
【請求項６７】  
前記担体はランプブラックであることを特徴とする請求項５７に記載の多層バリア。
【請求項６８】  
前記農薬放出層の厚さは、約０．００１〜約０．００５インチであることを特徴とする請求項５７に記載の多層バリア。
【請求項６９】  
前記農薬放出層は、トリクロルニトロメタン、メチルイソチオシアネートと1,3-ジクロプロパンの混合物、Ｎ−メチルジチオ岩酸塩ナトリウム、2,3,5,6−テトラクロル−1,9−ベンゾキノン、カルシウムシアナミド、ビフェニル、ナフテン酸銅、ジクロルフェン、フェンティン水酸化物、及びこれらの混合物から選択される少なくとも１つの殺菌剤を含むことを特徴とする請求項５７に記載の多層バリア。
【請求項７０】  
前記農薬保持層に、菌によるバリアの劣化を防ぐための少なくとも１層の殺菌剤放出層を有することを特徴とする請求項５７に記載の多層バリア。
【請求項７１】  
前記バリアの補強及び穴あき防止のために、前記農薬保持層に、少なくとも１層の補強／耐性層を有することを特徴とする請求項５７に記載の多層バリア。
【請求項７２】  
前記補強／耐性層は、高分子スクリムから作られることを特徴とする請求項７１に記載の多層バリア。
【請求項７３】  
前記補強／耐性層は、高密度ポリエチレン織布から作られることを特徴とする請求項７１に記載の多層バリア。
【請求項７４】  
前記バリアの厚さは、約０．０１０〜約０．０３０インチであることを特徴とする請求項５７に記載の多層バリア。
【請求項７５】  
前記バリアを紫外線から守り、前記バリアの密閉性を守るための少なくとも１層の保護層を更に含むことを特徴とする請求項５７に記載の多層バリア。
【請求項７６】  
前記保護層は、断熱ポリマーから作られることを特徴とする請求項７５に記載の多層バリア。